(57)【要約】  当該装置は、電気信号を音響信号に変換するための変換器を受容可能とされる筐体を含んでいる。また、当該装置は、筐体の内部に配置されていると共に１つ以上のチャネルを形成している１つ以上の構造体であって、チャネルそれぞれが、筐体の内部に配置されている一方の端部と筐体の外部に配置されている他方の端部とを有している、１つ以上の構造体を含んでいる。また、当該装置は、１つ以上の構造体のうち一の構造体に配置されている音響抵抗要素であって、筐体の内部において１つ以上のチャネルのうち少なくとも１つのチャネルの音響特性を変更可能とされる音響抵抗要素を含んでいる。
2019506104.tif 000002
【特許請求の範囲】
【請求項１】
音響空間を形成している筐体であって、電気信号を音響信号に変換するための変換器を受容可能とされる前記筐体と、
前記筐体の内部に配置されていると共に１つ以上のチャネルを形成している１つ以上の構造体であって、前記チャネルそれぞれが、前記筐体の内部に配置されている一方の端部と前記筐体の外部に配置されている他方の端部とを有している、１つ以上の前記構造体と、
１つ以上の前記構造体のうち一の前記構造体に配置されている音響抵抗要素であって、前記筐体の内部において１つ以上の前記チャネルのうち少なくとも１つのチャネルの音響特性を変化させることができる前記音響抵抗要素と、
を備えていることを特徴とする装置。
【請求項２】
前記音響抵抗要素を介して、前記筐体に収容された前記チャネルと他の前記チャネルとの間において空気が流れることを特徴とする請求項１に記載の装置。
【請求項３】
前記チャネルが、他の前記チャネルと隣接していることを特徴とする請求項２に記載の装置。
【請求項４】
前記音響抵抗要素を介して、前記チャネルと前記筐体の外部との間において空気が流れることを特徴とする請求項１に記載の装置。
【請求項５】
前記音響抵抗要素を介して、前記チャネルと前記音響空間との間において空気が流れることを特徴とする請求項１に記載の装置。
【請求項６】
前記音響抵抗要素が、前記筐体の内部に１つ以上の前記チャネルのうち少なくとも１つの前記チャネルを含んでいるポートの音響特性を変化させるように構成されていることを特徴とする請求項１に記載の装置。
【請求項７】
前記音響抵抗要素が、単一のレイヤーを含んでいることを特徴とする請求項１に記載の装置。
【請求項８】
前記音響抵抗要素が、複数のレイヤーを含んでいることを特徴とする請求項１に記載の装置。
【請求項９】
前記音響抵抗要素が、織物材料から成るレイヤーを含んでいることを特徴とする請求項１に記載の装置。
【請求項１０】
前記音響抵抗要素が、金属メッシュを含んでいることを特徴とする請求項１に記載の装置。
【請求項１１】
前記音響抵抗要素が、略矩形状の形状とされることを特徴とする請求項１に記載の装置。
【請求項１２】
電気信号を音響信号に変換するための変換器と、
前記変換器を含んでいる筐体であって、音響空間を形成している前記筐体と、
前記筐体の内部に配設されていると共に１つ以上のチャネルを形成している１つ以上の構造体であって、前記チャネルそれぞれが、前記筐体の内部に配置されている一方の端部と前記筐体の外部に配置されている他方の端部とを有している、１つ以上の前記構造体と、
１つ以上の前記構造体のうち一の構造体に配置されている音響抵抗要素であって、前記筐体の内部において１つ以上の前記チャネルの音響特性を変化させることができる前記音響抵抗要素と、
を備えていることを特徴とする装置。
【請求項１３】
前記音響抵抗要素を介して、前記筐体に収容された前記チャネルと他の前記チャネルとの間において空気が流れることを特徴とする請求項１２に記載の装置。
【請求項１４】
前記チャネルが、他の前記チャネルと隣接していることを特徴とする請求項１３に記載の装置。
【請求項１５】
前記音響抵抗要素を介して、前記チャネルと前記筐体の外部との間において空気が流れることを特徴とする請求項１２に記載の装置。
【請求項１６】
前記音響抵抗要素を介して、前記チャネルと前記音響空間との間において空気が流れることを特徴とする請求項１２に記載の装置。
【請求項１７】
前記音響抵抗要素が、前記筐体の内部に１つ以上の前記チャネルのうち少なくとも１つの前記チャネルを含んでいるポートの音響効果を変化させるように構成されていることを特徴とする請求項１２に記載の装置。
【請求項１８】
前記音響抵抗要素が、単一のレイヤーを含んでいることを特徴とする請求項１２に記載の装置。
【請求項１９】
前記音響抵抗要素が、複数のレイヤーを含んでいることを特徴とする請求項１２に記載の装置。
【請求項２０】
前記音響抵抗要素が、織物材料から成るレイヤーを含んでいることを特徴とする請求項１２に記載の装置。
【請求項２１】
前記音響抵抗要素が、金属メッシュを含んでいることを特徴とする請求項１２に記載の装置。
【請求項２２】
前記音響抵抗要素が、略矩形状の形状とされることを特徴とする請求項１２に記載の装置。
【発明の詳細な説明】
【技術分野】
【０００１】
本発明は、変換器筐体に、特にポート付変換器筐体の音響性能を改善するための構成に関する。
【背景技術】
【０００２】
スピーカは、少なくとも２つの主要構成部品を、すなわち電気信号を機械的運動に変換するための変換器と、機械的運動を放射音に変換するための筐体とを含んでいると考えられている。筐体は密封されている場合もあるが、当該筐体の内部と外部との間における空気の通過を可能とするためのポートを含んでいる場合もある。ポートを配設することによって、（既知の電気入力に対する放射音の観点において）効率的であり且つ（既知の電気信号入力に対する放射音の観点において）より応答性に優れた、比較的小型の筐体が製造可能とされる。
【先行技術文献】
【特許文献】
【０００３】
【特許文献１】米国特許第７５６５９４８号明細書
【特許文献２】米国特許第８２９５５２５号明細書
【発明の概要】
【発明が解決しようとする課題】
【０００４】
本発明は、ポート付スピーカ筐体の内部に設けられたチャネルに音響抵抗要素を導入し、これにより騒音を低減することによって、ポート付スピーカ筐体の音響性能を改善するための手法を提供する。ポートチャネルの一部分を筐体の外部、ポートチャネルの他の部分、他のチャネル等に接続している構造体の内部に音響抵抗要素を位置決めすることによって、ポート付スピーカ筐体の音響出力に干渉する可能性があるポートの望ましくない音響的効果が低減される。
【課題を解決するための手段】
【０００５】
一の実施態様では、当該装置は、電気信号を音響信号に変換するための変換器を受容可能とされる筐体を含んでいる。また、当該装置は、筐体の内部に配置されていると共に１つ以上のチャネルを形成している１つ以上の構造体であって、チャネルそれぞれが、筐体の内部に配置されている一方の端部と筐体の外部に配置されている他方の端部とを有している、１つ以上の構造体を含んでいる。また、当該装置は、１つ以上の構造体のうち一の構造体に配置されている音響抵抗要素であって、筐体の内部において１つ以上のチャネルのうち少なくとも１つのチャネルの音響特性を変化させることができる音響抵抗要素を含んでいる。
【０００６】
実施形態は、以下の特徴のうち１つ以上の特徴を含んでいる。音響抵抗要素を介して、筐体に収容されたチャネルと他のチャネルとの間において空気が流れる。チャネルが、他のチャネルと隣接している。音響抵抗要素を介して、チャネルと筐体の外部との間において空気が流れる。音響抵抗要素を介して、チャネルと音響空間との間において空気が流れる。音響抵抗要素が、筐体の内部に１つ以上のチャネルのうち少なくとも１つのチャネルを含んでいるポートの音響特性を変化させるように構成されている。音響抵抗要素が、単一のレイヤーを含んでいる。音響抵抗要素が、複数のレイヤーを含んでいる。音響抵抗要素が、織物材料から成るレイヤーを含んでいる。音響抵抗要素が、金属メッシュを含んでいる。音響抵抗要素が、略矩形状の形状とされる。
【０００７】
他の実施態様では、当該装置は、電気信号を音響信号に変換するための変換器を含んでいる。また、当該装置は、変換器を含んでいる筐体を含んでいる。１つ以上の構造体が、筐体の内部に配設されていると共に１つ以上のチャネルを形成しており、チャネルそれぞれが、筐体の内部に配置されている一方の端部と筐体の外部に配置されている他方の端部とを有している。また、当該装置は、１つ以上の構造体のうち一の構造体に配置されている音響抵抗要素であって、筐体の内部において１つ以上のチャネルの音響特性を変化させることができる音響抵抗要素を含んでいる。
【０００８】
実施形態は、以下の特徴のうち１つ以上の特徴を含んでいる。音響抵抗要素を介して、筐体に収容されたチャネルと他のチャネルとの間において空気が流れる。チャネルが、他のチャネルと隣接している。音響抵抗要素を介して、チャネルと筐体の外部との間において空気が流れる。音響抵抗要素を介して、チャネルと音響空間との間において空気が流れる。音響抵抗要素が、筐体の内部に１つ以上のチャネルのうち少なくとも１つのチャネルを含んでいるポートの音響効果を変化させるように構成されている。音響抵抗要素が、単一のレイヤーを含んでいる。音響抵抗要素が、複数のレイヤーを含んでいる。音響抵抗要素が、織物材料から成るレイヤーを含んでいる。音響抵抗要素が、金属メッシュを含んでいる。音響抵抗要素が、略矩形状の形状とされる。
【０００９】
他の特徴及び利点については、発明の詳細な説明、図面、及び特許請求の範囲から明らかになるだろう。
【図面の簡単な説明】
【００１０】
【図１】ポート付変換器筐体の断面図である。
【図２】曲がりくねったポートチャネルを具備するポート付変換器筐体を表わす。
【図３】変換器筐体の様々な部分に接続している音響抵抗要素を含むポート付変換器筐体を表わす。
【図４】複数のポートによって共有された音響抵抗要素を含むポート付変換器筐体を表わす。
【図５】音響抵抗要素の様々な幾何学的形状を表わす。
【図６】ポートチャネルの斜視図である。
【発明を実施するための形態】
【００１１】
各図面の類似する参照符号は類似する要素を示している。
【００１２】
図１は、実質的にポート付筐体１００の構造を形成する４つの壁１０２，１０４，１０６，１０８を含んでいる、スピーカのポート付筐体１００の断面図である。当該構成では、電気信号を音響信号に変換するための変換器（変換器１１０）が、上側壁１０８に取り付けられているが、他の実施例では、変換器は、異なる方向に方向づけられている。ポート付筐体１００によって形成されている音響空間とポート付筐体１００の外部環境との間において空気を自在に流通可能とするために、ポート１１２は、ポート付筐体１００の上側壁１０８に配設されている。当該実施例では、ポート１１２は、円筒状構造とされるが、他の構造（例えば異なる形状、異なる断面等）であっても良い。概して、ポート１１２は、空気を周囲環境からポート１１２に流入させ、ポート１１２から流出させるためのポートインターフェース１１４を含んでいる。また、ポート１１２は、空気をポート付筐体１００の音響空間すなわち内部に出入りさせるためのポートチャネル１１６を含んでいる。
【００１３】
概して、ポートは、適切な音響性能を提供しつつ比較的小型とするために筐体設計によって処置すべき（最小限度に抑えるべき）、望ましくない音の属性を有している。空気がポート１１２を通じて流通することによって、望ましくない騒音及び音の歪が発生する場合がある。例えば、ポートの幾何学的形状（例えばポートチャネル１１６の長さ）が音響的な定常波を生成し、当該定常波の励起を通じた共鳴の発生並びに騒音及び／又は歪の増大によって、スピーカの理想的な周波数応答が改変される場合がある。ポートの容積が筐体全体の容積の大部分を占める（例えばポートの容積が筐体の容積の５０％以上である）構成では、ポートの内部の定常波が、（ポート及び変換器を具備する）スピーカの動作範囲内の周波数で発生する場合がある。制御手法（例えば減衰）を通じて、上述の悪影響を低減することができる。さらに、このような定常波を適切に減衰させることによって、定常波及び／又は共鳴が、スピーカの出力や効率等を改善する（高める）ために利用可能とされる。
【００１４】
コンピュータ支援モデリング及びコンピュータ支援設計、コンピュータ解析（例えば有限要素解析）、並びに先進的な生産プロセス及び先進原料等を導入することによって、密閉筐体の設計と比較して高度な品質及び改善された周波数応答特性を有するように、ポート付筐体を設計することができる。筐体自体のレイアウト（例えば変換器の位置等）及び他の設計パラメータ（例えば筐体の大きさ、内壁として利用される材料等）と共に、（筐体の音響空間に至る及び筐体の音響空間からの）空気の流れを可能とするポートの設計が、スピーカの性能全体に影響を及ぼす。
【００１５】
上述のように、ポート１１２は、（筐体１００及び変換器１１０を含む）スピーカの余計な出力である騒音の一因となる。特にポートインターフェース１１４とポートチャネル１１６との両方が、騒音源であると考えられる共鳴や定常波等の発生の原因となる。例えば共鳴音響が、ポートインターフェースの構造やポートチャネルの構造等によって励起される。このような騒音の音響は、スピーカによって再生されているオーディオコンテンツのスペクトル領域が共鳴音響の周波数を含む場合に、特に聴取者に不快感を与えている。例えばオーディオコンテンツの低音は、音響共鳴や定常波等の影響を受けるので、再生品質が劣化する。単一の変換器筐体の性能に影響を及ぼすと共に、複数の変換器を収容している筐体の性能も悪化する。他のタイプの筐体も同様に影響を受ける。例えば導波路タイプの筐体は、筐体の容積の略全体を占有するポートとみなされる（筐体の僅かな比率、例えば１０％が、変換器又は筐体に収容された変換器によって利用される）。図示の筐体と同様に、定常波は導波路筐体の内部に形成されており、潜在的にスピーカの出力品質が劣化される場合がある。このような導波路は、特許文献１及び特許文献２に開示されており、当該特許文献の全体が、参照により本明細書に組み込まれている。
【００１６】
図２は、他の変換器筐体の構造を示す断面図である。当該実施例では、筐体２００は、変換器２０２と、（図１に表わす円筒状のポート１１２と比較して）比較的複雑な構造をしたポートとを含んでいる。ポート２０４は、交互に反対方向に延在している通路を形成している一連の区間を含むポートチャネルを含んでいる。当該実施例では、ポートチャネルの第１の区間２０８は、（筐体のポート２０４を外部環境に接続している）ポートインターフェース２０６の下流に続いており、筐体の後壁２１０に沿って右から左に延在している。１８０°回頭した後に、ポート２０４のポートチャネルの第２の区間２１２が、第１の区間２０８に沿って（反対方向に）延在している。第１の区間２０８と第２の区間２１２とは、隣接した状態で、筐体の音響空間の内部において共通の壁構造体２１４を共有している。もう１度回頭した後に、ポートチャネルのさらなる区間２１６が、第２の区間２１２に沿って延在しており、さらなる共通する壁構造体２１８を共有している。最後に回頭した後に、ポートは、変換器２０２を収容しているキャビティ２２０に向かって開口している。（図１に表わす）円筒状のポートインターフェース１１４及びポートチャネル１１６と同様に、ポート２０４の区間の折り重なった構成（例えばポートインターフェース２０６やポートチャネルの複数の区間）は、動作の際に変換器２０２の出力性能を制限する騒音源となり得る。例えば、定常波は、ポートによって形成された開端チャネルの内部のおける空気の移動に基づく幾つかの周波数（例えば数十ヘルツ）について、ポート２０４の内部に形成される。このような定常波の音響効果は、再生コンテンツのスペクトルに含まれる周波数において発揮されるので、鑑賞が潜在的に損なわれる場合がある。
【００１７】
図３に表わすように、折り重ねられたポートチャネルの区間（及び他のポート部分）の影響を低減させることによって、密閉型スピーカの音響が損なわれないように、１つ以上の手法が実施される。例えば、音響効果を低減させる１つ以上の音響抵抗要素が、ポートチャネルの区間によって共有されている構造体（例えば壁）に組み込まれている。図示の如く、筐体３００は、変換器３０２とポート３０４とを含んでおり、ポート３０４は、ポートインターフェース３０６と、隣接区間が共通する構造体を共有するように折り重ねられた複数の区間によって形成されているポートチャネルとを含んでいる。例えば、ポート区間３０８，３１０は、共通する壁構造体３１２を共有している。ポート３０４の構造や音響特性等に起因して形成される１つ以上の定常波の影響を低減させるために、音響抵抗要素３１４が、ポートインターフェース３０６やポートチャネル（例えばポート区間３０８，３１０）等の音響共鳴特性を低減させるように、共有された壁構造体３１２に組み込まれている。図３では、音響抵抗要素３１４の幾何学的形状（例えば大きさや形状等）は、音響抵抗要素３１４を視覚的に目立たせるように選定される。例えば、図示の如く、音響抵抗要素３１４は、壁構造体３１２の表面それぞれから外方に延在しているが、音響抵抗要素３１４の幾何学的形状は、音響抵抗要素３１４が少なくとも１つの壁面と面一になるように形成されている。例えば、音響抵抗要素３１４は、壁に組み込まれている。一般に、スクリーンは、空気を通過させることができる比較的薄肉の高剛性材料から作られていると考えられる。音響抵抗要素３１４を横断する音圧の差（例えばポート区間３０８側における音響抵抗要素３１４の音圧とポート区間３１０側における音響抵抗要素３１４の音圧との差）を小さくすることによって、潜在的に音響を損なわせる影響を低減させることができる。１つ以上の定常波の影響を低減させるために１つ以上の導波管がチャネルを具備する幾つかの構成では、音響抵抗要素３１４が、導波路や筐体等の共鳴特性を低減させるように、共有された構造体（例えば２つの導波管の間に共有された壁構造体、導波管と筐体の音響空間や筐体の外部等との間に共有された壁構造体）に組み込まれている。
【００１８】
当該図示の実施例では、単一の音響抵抗要素が、壁構造体３１２に組み込まれているが、付加的な要素が、同様に壁構造体３１２に組み込まれている場合もある。また、１つ以上の抵抗要素が、ポートチャネル区間の他の構造体に組み込まれている場合がある。例えば１つ以上の抵抗要素が、共有された壁構造体３１６に組み込まれている。１つ以上の要素が、共有された壁に組み込まれていると共に、１つの抵抗要素（又は複数の抵抗要素）が、ポートチャネルの２つ以上の区間によって共有されていない筐体の１つの構造体（又は複数の構造体）に組み込まれている場合がある。例えば、抵抗要素３１８は、チャネル区間３２２と筐体の内部部分（例えば変換器３０２を内蔵しているキャビティ３２４）とによって共有された壁構造体３２０に組み込まれている。１つ以上の要素が、筐体３００の外壁構造体（例えば壁３２０）に組み込まれている場合がある。例えば、抵抗要素３２６は、ポートチャネル３０８とスピーカ筐体３００の外部とによって共有されている壁構造体３２８に組み込まれている。壁構造体それぞれの類似部分が、このような抵抗要素を組み込むために選定されるか、又は、異なる配置が、２つ以上の要素について選定される場合がある。例えば、１つ以上の抵抗要素（例えば要素３３０）が、筐体の外部と変換器３０２を内蔵するキャビティ３２４とによって共有された（筐体３００の）壁構造体３３２に組み込まれている。
【００１９】
要素の様々なタイプの設計パラメータが、筐体の様々な部分（例えばポート、筐体内部のキャビティ、壁構造体等）の潜在的に悪影響を及ぼす音響特性を低減させるために調整される。例えば、１つ以上の要素の幾何学的形状（例えば大きさや形状等）が調整される。同様に、（壁構造体に埋設されている）要素の向きも特定の共鳴効果に対処するために（例えば特定のパターンを形成するように）、個々に又は協働して調整される（例えば並進移動や回転等される）。
【００２０】
様々なタイプの構造体が、１つ以上の抵抗要素を製造するために利用される。例えば、単一のレイヤー要素（例えば、単一のレイヤースクリーン）又は複数のレイヤー要素（例えば、積層されたスクリーン）が構成及び利用される。複数のレイヤーから成る抵抗要素のために、（例えば、スクリーン同士の間の）１つ以上の分離距離が当該構成のために利用される。さらに、複数のレイヤーの場合には、レイヤー同士の間に空気を流すことができる。さらに、１つ以上の材料が、スクリーン同士の間に構造体を形成するために利用される。例えば、異なるパターン（例えば、突起やチャネル等）が、複数のスクリーンによって形成されるレイヤー同士の間に位置決めされた構造体に組み込まれている。また、このようなスクリーンは、１つ以上の幾何学的形状（例えば矩形状の形状等）を有している。抵抗要素は、隣接していない筐体部分同士を接続する（隣接していない筐体部分同士の間に空気を流す）ように構成されている。例えば、１つ以上の三次元構造体（例えば、管）が、隣接していないポートチャネル、キャビティ、筐体の内部空間、及び筐体の外壁等同士を接続するように利用される。
【００２１】
様々なタイプの材料が、ポート、並びに変換器筐体の表面及び他の部分の音響特性による潜在的な悪影響を抑制させるための抵抗要素を製造するために利用可能とされる。例えば、抵抗要素３１４に含まれている１つ以上のスクリーンは、金属から構成されており、（幾つかの構成では、他のタイプの材料と共に）１つ以上の金属を含んでいる。実質的な固体金属レイヤー（複数の固体金属レイヤー）が、スクリーンを製造するために利用される。メッシュ及び他のタイプのパターン構成が、１つ以上のスクリーンに利用される。１つ以上の織物が、抵抗要素に利用される。例えば、スピーカ筐体３００の環境影響（例えば、温度、音圧、振動等）に耐え得る比較的堅い織物が利用される。また、複合材料が、スクリーン、スクリーンフレーム、又は抵抗要素３１４の他の構造部品を製造するために利用される場合がある。異なる材料の組み合わせが、抵抗要素３１４の構成部品を製造するために利用される場合もある。例えば、１つ以上の複合材料（プラスチック材料）及び金属が利用される。
【００２２】
図４を参照すると、幾つかのポートを具備する変換器筐体の構成は、複数のポートを含んでおり、１つ以上の抵抗要素が、同様に当該複数のポートのうち２つ以上のポートによって共有された構造部品に組み込まれている。図示の実施例では、（変換器４０２を含む）スピーカ筐体４００は、筐体の外部と筐体の音響空間との間に空気を流すための２つの独立したポート４０４，４０６を含んでいる。図１〜図３に表わす他のポートに類似して、ポート４０４，４０６の両方が、ポートインターフェース（例えば、ポートインターフェース４０８，４１０）と、ポートチャネル（例えば、ポートチャネル４１２，４１４）を含んでいる。ポートインターフェース４０８，４１０の構造及び構成が、結果として筐体の音響特性に悪影響を及ぼす（例えば、特定の周波数の範囲に亘る）騒音源となる。同様に、（ポート４０４，４０６それぞれの）ポートチャネル４１２，４１４は、変換器４０２及び筐体４００の音響出力に潜在的に悪影響を及ぼす音響特性を有している。ポートインターフェース及びポートチャネルによる潜在的な音響的悪影響を低減させるために、１つ以上の音響抵抗要素が、２つの独立したポートによって共有された構造体に組み込まれている。例えば図４に表わすように、音響抵抗要素４１６は、ポートチャネル４１２，４１４の両方によって共有された壁構造体４１８に組み込まれている。視覚的に強調するために、音響抵抗要素４１６は、壁構造体４１８の表面それぞれから外方に延在しているように図示されている。前掲の図面に類似して、音響抵抗要素４１６は、壁構造体の側部それぞれの表面と面一になっているスクリーンやスクリーンの積層体（例えば、マルチスクリーン構成）等とされる。上述のように、音響抵抗要素は、様々な構成とすることが可能であり、又は様々な設計パラメータ（例えば、幾何学的形状、材料、配向、位置等）を利用することができる。当該実施例では、一の音響抵抗要素が壁構造体４１８に組み込まれている一方、さらなる音響抵抗要素が、２つのポート４０４，４０６によって共有された壁構造体４１８に組み込まれている。例えば、（例えば、特定のパターンで配向されている）複数の音響抵抗要素が、壁に組み込まれている（例えば、埋設されている）。少なくとも１つの音響抵抗要素が、共有された壁構造体（又はポートによって共有された他のタイプの構造部品）に組み込まれていると共に、１つ以上の音響抵抗要素が、スピーカ筐体の他の位置で組み込まれている。例えば、音響抵抗要素は、２つのポートによって共有されていない構造壁に組み込まれている。図示の構成では、音響抵抗要素４２０は、ポート（例えば、ポート４０６）とスピーカ筐体４００の外部とによって共有された壁構造体４２２に組み込まれている。また、１つ以上の音響抵抗要素が、ポートを形成するために利用されない壁に組み込まれている。例えば、１つ以上の音響抵抗要素（例えば、音響抵抗要素４２４）が、スピーカ筐体４００の外部と変換器４０２を含むキャビティ４２８とを隔てている壁構造体４２６に埋設されている。また、このような構成では、音響抵抗要素４３０が、ポート（すなわちポート４１２）と変換器４０２を収容するキャビティ４２８とによって共有された壁構造体４３２に組み込まれている。このような音響抵抗要素を筐体のあらゆる位置（例えば様々な位置）に組み込み、様々な構成や設計パラメータ等を利用することによって、潜在的に悪影響を及ぼす音響特性の影響が低減され、これにより変換器４０２及び筐体４００の可聴域のコンテンツ出力が改善される。
【００２３】
図５は、音響抵抗要素についての２つの例示的な実施形態を表わす。図５（ａ）に表わす構造体は、埋設された音響抵抗要素と共に壁構造体を共有する２つの隣接するポートチャネルを形成している。特に、ポートチャネル５００は、他のポートチャネル５０２に隣接して配置されており、壁構造体５０４は、２つのポートチャネル５００，５０２によって共有されている。当該実施例では、ポートチャネル５００のための上側壁が、チャネルの内側部分を形成している構造体を露出させるように取り除かれている。特に、スクリーン５０６が、共有された壁構造体５０４に埋設されており、これにより、ポートチャネル５００に対して露出されているスクリーン５０６の側面に沿って及びポートチャネル５０２に対して露出されているスクリーン５０６の側面に沿って伝播する音圧が低減される。上述のように、このようなスクリーンは、スピーカ筐体の他の構造体（例えば、ポートチャネルによって共有された外壁構造体、及び変換器筐体の他の部分によって共有された壁構造体等）に位置決めされている。
【００２４】
図５（ｂ）を参照すると、他のタイプの構造体が、スピーカ筐体の部分同士の間に音響抵抗要素を導入するために利用される。図示の実施例では、管状の構造体が、共通する壁構造体を共有していない変換器筐体の内部において２つのポートチャネル５１０，５１２を接続するために利用される（例えば、ポートチャネルが独立しており、僅かに平行移動されている）。幾つかの構成では、１つ以上のスクリーンが、管状の構造体５０８に含められており、例えばスクリーン５１４が、一方のポートチャネル（例えば、ポートチャネル５１０の下側壁）と略面一になるように位置決めされている。同様に、スクリーンは、他方のポートチャネル（例えば、ポートチャネル５１２の上側壁）と略面一になるように位置決めされている。上述のように、複数のスクリーンが利用される。例えば２つ以上のスクリーンが、音響抵抗要素を提供するために、管状の構造体５０８に組み込まれている。また、他の構成に関して上述したように、このような管状の構造体又は他のタイプの構造体（例えば、類似する幾何学的形状や矩形状のような異なる幾何学的形状を有する構造体）を介して接続されている場合がある。
【００２５】
図６は、（図２〜図５に表わすポートチャネルと比較して）比較的複雑な幾何学的形状を有するポートチャネル６００の斜視図である。弧状区間６０２を具備することによって、ポートチャネルの経路は、他の弧状区間６０４がポートチャネルの経路の向きをさらに１８０°転向させる前に、１８０°転向される。このような特定のポートチャネルでは、２つの窓６０６，６０８が、音響抵抗要素のためにポートチャネルの側壁に形成されている。さらに、さらなる窓６１０が、ポートチャネルの上側壁に形成されている。幾つかの構成では、音響抵抗要素を提供するために、スクリーンが、側壁に位置決めされた窓のうち少なくとも１つの窓に挿入されている（例えば、弧状に形成されたスクリーンが窓６０８に挿入されており、矩形状に形成されたスクリーンが窓６０６に挿入されている）。このような場合には、スクリーンそれぞれが、ポートチャネルとポートチャネルを内蔵する筐体の音響空間との間において空気を流すことができる。同様に、１つ以上のスクリーン（又は他のタイプの抵抗要素）が、上側壁に位置決めされた窓６１０に組み込まれている。しかしながら、幾つかの構成では、このような窓がポートチャネルに組み込まれている。幾つかの構成では、ポートチャネルと筐体の音響空間との間における空気の流れ及び音圧の低減を実現するために、窓は開いた状態を維持している（と共に、スクリーンが挿入されていない）。さらに、このような特定の構成は、２つのポートチャネルやポートチャネルの２つの部分等によって共有された構造体（例えば壁構造体）に位置決めされている１つ以上の音響抵抗要素を含んでいないが、１つ以上のこのような音響抵抗要素が、潜在的に悪影響を及ぼす定常波の影響を低減させるために組み込まれている。
【００２６】
上述の実施形態以外の多くの他の実施形態が、特許請求の範囲に記載の請求項に包含されている。
【符号の説明】
【００２７】
１００  ポート付筐体
１０２  壁
１０４  壁
１０６  壁
１０８  壁（上側壁）
１１０  変換器
１１２  ポート
１１４  ポートインターフェース
１１６  ポートチャネル
２００  筐体
２０２  変換器
２０４  ポート
２０６  ポートインターフェース
２０８  （ポートチャネルの）第１の区間
２１０  （筐体２００の）後壁
２１２  （ポートチャネルの）第２の区間
２１４  壁構造体
２１６  さらなる区間
２１８  壁構造体
２２０  キャビティ
３００  筐体
３０２  変換器
３０４  ポート
３０６  ポートインターフェース
３０８  ポート区間
３１０  ポート区間
３１２  壁構造体
３１４  音響抵抗要素
３１６  壁構造体
３１８  抵抗要素
３２０  壁構造体
３２２  チャネル区間
３２４  キャビティ
３２６  抵抗要素
３２８  壁構造体
４００  スピーカ筐体
４０２  変換器
４０４  ポート
４０６  ポート
４０８  ポートインターフェース
４１０  ポートインターフェース
４１２  ポートチャネル
４１４  ポートチャネル
４１６  音響抵抗要素
４１８  壁構造体
４２０  音響抵抗要素
４２２  壁構造体
４２４  音響抵抗要素
４２６  壁構造体
４２８  キャビティ
４３０  音響抵抗要素
４３２  壁構造体
５００  ポートチャネル
５０２  ポートチャネル
５０４  壁構造体
５０６  スクリーン
５０８  管状の構造体
５１０  ポートチャネル
５１２  ポートチャネル
５１４  スクリーン
６００  ポートチャネル
６０２  弧状区間
６０４  弧状区間
６０６  窓
６０８  窓
６１０  窓
【図１】
2019506104.tif 000003
【図２】
2019506104.tif 000004
【図３】
2019506104.tif 000005
【図４】
2019506104.tif 000006
【図５（ａ）】
2019506104.tif 000007
【図５（ｂ）】
2019506104.tif 000008
【図６】
2019506104.tif 000009
【国際調査報告】
2019506104.tif 000010
2019506104.tif 000011